(57)【要約】      （修正有）【課題】地域によらずカードの不正使用を防止するカードシステムを提供する。【解決手段】通信回線３を介して接続された店舗端末２とホストコンピュータ１とを備え、店舗端末２でカードを使用させるシステムであって、店舗端末２は、カードから、該カードを唯一に識別する情報を読み取ってホストコンピュータ１に送信する手段を有し、ホストコンピュータ１は、カードを唯一に識別する情報と、カードを使用可能な時間帯との組を記憶する手段と、店舗端末２から受信したカードを唯一に識別する情報と組になっているカードを使用可能な時間帯に、現在の時刻が含まれているか否かを判断する手段と、現在の時刻が含まれている場合、店舗端末２でのカードの使用を認める手段と、現在の時刻が含まれていない場合、店舗端末２でのカードの使用を認めない手段とを有する。【選択図】図１
2016057951.tif 000002
【特許請求の範囲】
【請求項１】
店舗端末とホストコンピュータとを備え、店舗端末とホストコンピュータとが通信回線を介して接続され、店舗端末でカードを使用させるシステムであって、
店舗端末は、カードから、該カードを唯一に識別する情報を読み取ってホストコンピュータに送信する手段を有し、
ホストコンピュータは、カードを唯一に識別する情報と、カードを使用可能な時間帯との組を記憶する手段と、店舗端末から受信したカードを唯一に識別する情報と組になっているカードを使用可能な時間帯に、現在の時刻が含まれているか否かを判断する手段と、店舗端末から受信したカードを唯一に識別する情報と組になっているカードを使用可能な時間帯に、現在の時刻が含まれている場合、店舗端末でのカードの使用を認める手段と、店舗端末から受信したカードを唯一に識別する情報と組になっているカードを使用可能な時間帯に、現在の時刻が含まれていない場合、店舗端末でのカードの使用を認めない手段とを有することを特徴とするカードシステム。
【請求項２】
ホストコンピュータは、カードを唯一に識別する情報と、メールアドレスとの組を記憶する手段と、店舗端末から受信したカードを唯一に識別する情報と組になっているカードを使用可能な時間帯に、現在の時刻が含まれていない場合、店舗端末から受信したカードを唯一に識別する情報と組になっているメールアドレスに、アラートのメールを送信する手段とを有することを特徴とする請求項１記載のカードシステム。
【請求項３】
ホストコンピュータは、カードの利用者に対して、カードを唯一に識別する情報と組になるカードを使用可能な時間帯の登録、或いは、カードを唯一に識別する情報と組になっているカードを使用可能な時間帯の変更を行わせる手段を有することを特徴とする請求項１又は２に記載のカードシステム。
【請求項４】
ホストコンピュータと通信回線を介して接続されている店舗端末でカードを使用させる方法であって、
ホストコンピュータが、カードを唯一に識別する情報と、カードを使用可能な時間帯との組を記憶する工程と、
店舗端末が、カードから、該カードを唯一に識別する情報を読み取ってホストコンピュータに送信する工程と、
ホストコンピュータが、店舗端末から受信したカードを唯一に識別する情報と組になっているカードを使用可能な時間帯に、現在の時刻が含まれているか否かを判断する工程と、
店舗端末から受信したカードを唯一に識別する情報と組になっているカードを使用可能な時間帯に、現在の時刻が含まれている場合、ホストコンピュータが、店舗端末でのカードの使用を認める工程と、
店舗端末から受信したカードを唯一に識別する情報と組になっているカードを使用可能な時間帯に、現在の時刻が含まれていない場合、ホストコンピュータが、店舗端末でのカードの使用を認めない工程とを含むことを特徴とするカード方法。
【請求項５】
ホストコンピュータが、カードを唯一に識別する情報と、メールアドレスとの組を記憶する工程と、
店舗端末から受信したカードを唯一に識別する情報と組になっているカードを使用可能な時間帯に、現在の時刻が含まれていない場合、ホストコンピュータが、店舗端末から受信したカードを唯一に識別する情報と組になっているメールアドレスに、アラートのメールを送信する工程とを含むことを特徴とする請求項４記載のカード方法。
【請求項６】
ホストコンピュータが、カードの利用者に対して、カードを唯一に識別する情報と組に
なるカードを使用可能な時間帯の登録、或いは、カードを唯一に識別する情報と組になっているカードを使用可能な時間帯の変更を行わせる工程を含むことを特徴とする請求項４又は５に記載のカード方法。
【請求項７】
店舗端末とホストコンピュータとを備え、店舗端末とホストコンピュータとが通信回線を介して接続されているシステムに、店舗端末でカードを使用させることを実行させるプログラムであって、
ホストコンピュータに、カードを唯一に識別する情報と、カードを使用可能な時間帯との組を記憶する工程を実行させ、
店舗端末に、カードから、該カードを唯一に識別する情報を読み取ってホストコンピュータに送信する工程を実行させ、
ホストコンピュータに、店舗端末から受信したカードを唯一に識別する情報と組になっているカードを使用可能な時間帯に、現在の時刻が含まれているか否かを判断する工程を実行させ、
店舗端末から受信したカードを唯一に識別する情報と組になっているカードを使用可能な時間帯に、現在の時刻が含まれている場合、ホストコンピュータに、店舗端末でのカードの使用を認める工程を実行させ、
店舗端末から受信したカードを唯一に識別する情報と組になっているカードを使用可能な時間帯に、現在の時刻が含まれていない場合、ホストコンピュータに、店舗端末でのカードの使用を認めない工程を実行させることを特徴とするカードプログラム。
【請求項８】
ホストコンピュータに、カードを唯一に識別する情報と、メールアドレスとの組を記憶する工程を実行させ、
店舗端末から受信したカードを唯一に識別する情報と組になっているカードを使用可能な時間帯に、現在の時刻が含まれていない場合、ホストコンピュータに、店舗端末から受信したカードを唯一に識別する情報と組になっているメールアドレスに、アラートのメールを送信する工程を実行させることを特徴とする請求項７記載のカードプログラム。
【請求項９】
ホストコンピュータに、カードの利用者に対して、カードを唯一に識別する情報と組になるカードを使用可能な時間帯の登録、或いは、カードを唯一に識別する情報と組になっているカードを使用可能な時間帯の変更を行わせる工程を実行させることを特徴とする請求項７又は８に記載のカードプログラム。
【発明の詳細な説明】
【技術分野】
【０００１】
本発明は、カードシステム、方法、及びプログラムに関する。
【背景技術】
【０００２】
一般に、キャッシュカードやクレジットカードなどのカードは、紛失や盗難などにより、不正使用されることがある。
【０００３】
従来、カードの不正使用を防止する技術として、予め正当なカード利用者がカードを使用できる地域を使用可能地域として登録しておき、この使用可能地域以外の地域では、カードを使用させないものが知られている（特許文献１参照）。
【０００４】
しかしながら、紛失や盗難の際、使用可能地域で不正使用される可能性が高い。
【先行技術文献】
【特許文献】
【０００５】
【特許文献１】特開２００６−３９７２９号公報
【発明の概要】
【発明が解決しようとする課題】
【０００６】
本発明は、このような事情を考慮してなされたもので、地域によらずカードの不正使用を防止することを課題とする。
【課題を解決するための手段】
【０００７】
本発明において上記課題を解決するために、まず請求項１の発明では、店舗端末とホストコンピュータとを備え、店舗端末とホストコンピュータとが通信回線を介して接続され、店舗端末でカードを使用させるシステムであって、
店舗端末は、カードから、該カードを唯一に識別する情報を読み取ってホストコンピュータに送信する手段を有し、
ホストコンピュータは、カードを唯一に識別する情報と、カードを使用可能な時間帯との組を記憶する手段と、店舗端末から受信したカードを唯一に識別する情報と組になっているカードを使用可能な時間帯に、現在の時刻が含まれているか否かを判断する手段と、店舗端末から受信したカードを唯一に識別する情報と組になっているカードを使用可能な時間帯に、現在の時刻が含まれている場合、店舗端末でのカードの使用を認める手段と、店舗端末から受信したカードを唯一に識別する情報と組になっているカードを使用可能な時間帯に、現在の時刻が含まれていない場合、店舗端末でのカードの使用を認めない手段とを有することを特徴とするカードシステムとしたものである。
【０００８】
また請求項２の発明では、ホストコンピュータは、カードを唯一に識別する情報と、メールアドレスとの組を記憶する手段と、店舗端末から受信したカードを唯一に識別する情報と組になっているカードを使用可能な時間帯に、現在の時刻が含まれていない場合、店舗端末から受信したカードを唯一に識別する情報と組になっているメールアドレスに、アラートのメールを送信する手段とを有することを特徴とする請求項１記載のカードシステムとしたものである。
【０００９】
また請求項３の発明では、ホストコンピュータは、カードの利用者に対して、カードを唯一に識別する情報と組になるカードを使用可能な時間帯の登録、或いは、カードを唯一
に識別する情報と組になっているカードを使用可能な時間帯の変更を行わせる手段を有することを特徴とする請求項１又は２に記載のカードシステムとしたものである。
【００１０】
また請求項４の発明では、ホストコンピュータと通信回線を介して接続されている店舗端末でカードを使用させる方法であって、
ホストコンピュータが、カードを唯一に識別する情報と、カードを使用可能な時間帯との組を記憶する工程と、
店舗端末が、カードから、該カードを唯一に識別する情報を読み取ってホストコンピュータに送信する工程と、
ホストコンピュータが、店舗端末から受信したカードを唯一に識別する情報と組になっているカードを使用可能な時間帯に、現在の時刻が含まれているか否かを判断する工程と、
店舗端末から受信したカードを唯一に識別する情報と組になっているカードを使用可能な時間帯に、現在の時刻が含まれている場合、ホストコンピュータが、店舗端末でのカードの使用を認める工程と、
店舗端末から受信したカードを唯一に識別する情報と組になっているカードを使用可能な時間帯に、現在の時刻が含まれていない場合、ホストコンピュータが、店舗端末でのカードの使用を認めない工程とを含むことを特徴とするカード方法としたものである。
【００１１】
また請求項５の発明では、ホストコンピュータが、カードを唯一に識別する情報と、メールアドレスとの組を記憶する工程と、
店舗端末から受信したカードを唯一に識別する情報と組になっているカードを使用可能な時間帯に、現在の時刻が含まれていない場合、ホストコンピュータが、店舗端末から受信したカードを唯一に識別する情報と組になっているメールアドレスに、アラートのメールを送信する工程とを含むことを特徴とする請求項４記載のカード方法としたものである。
【００１２】
また請求項６の発明では、ホストコンピュータが、カードの利用者に対して、カードを唯一に識別する情報と組になるカードを使用可能な時間帯の登録、或いは、カードを唯一に識別する情報と組になっているカードを使用可能な時間帯の変更を行わせる工程を含むことを特徴とする請求項４又は５に記載のカード方法としたものである。
【００１３】
また請求項７の発明では、店舗端末とホストコンピュータとを備え、店舗端末とホストコンピュータとが通信回線を介して接続されているシステムに、店舗端末でカードを使用させることを実行させるプログラムであって、
ホストコンピュータに、カードを唯一に識別する情報と、カードを使用可能な時間帯との組を記憶する工程を実行させ、
店舗端末に、カードから、該カードを唯一に識別する情報を読み取ってホストコンピュータに送信する工程を実行させ、
ホストコンピュータに、店舗端末から受信したカードを唯一に識別する情報と組になっているカードを使用可能な時間帯に、現在の時刻が含まれているか否かを判断する工程を実行させ、
店舗端末から受信したカードを唯一に識別する情報と組になっているカードを使用可能な時間帯に、現在の時刻が含まれている場合、ホストコンピュータに、店舗端末でのカードの使用を認める工程を実行させ、
店舗端末から受信したカードを唯一に識別する情報と組になっているカードを使用可能な時間帯に、現在の時刻が含まれていない場合、ホストコンピュータに、店舗端末でのカードの使用を認めない工程を実行させることを特徴とするカードプログラムとしたものである。
【００１４】
また請求項８の発明では、ホストコンピュータに、カードを唯一に識別する情報と、メールアドレスとの組を記憶する工程を実行させ、
店舗端末から受信したカードを唯一に識別する情報と組になっているカードを使用可能な時間帯に、現在の時刻が含まれていない場合、ホストコンピュータに、店舗端末から受信したカードを唯一に識別する情報と組になっているメールアドレスに、アラートのメールを送信する工程を実行させることを特徴とする請求項７記載のカードプログラムとしたものである。
【００１５】
また請求項９の発明では、ホストコンピュータに、カードの利用者に対して、カードを唯一に識別する情報と組になるカードを使用可能な時間帯の登録、或いは、カードを唯一に識別する情報と組になっているカードを使用可能な時間帯の変更を行わせる工程を実行させることを特徴とする請求項７又は８に記載のカードプログラムとしたものである。
【発明の効果】
【００１６】
請求項１、請求項４、及び請求項７の発明は、カードを使用可能な時間帯のみ、カードの使用を認め、カードを使用可能な時間帯以外では、カードの使用を認めないので、カードを使用可能な時間が減少し、そのため、不正使用される確率を低減できるという効果がある。
【００１７】
請求項２、請求項５、及び請求項８の発明は、カードを使用可能な時間帯以外でカードを使用しようとすると、アラートのメールが送信されるので、不正使用を検知することができるという効果がある。
【００１８】
請求項３、請求項６、及び請求項９の発明は、カード利用者が、カードを使用できる時間帯を登録、変更でき、実際に使用する時間帯を登録、或いは、実際に使用する時間帯に変更することで、不正使用される確率を、さらに低減できるという効果がある。
【００１９】
以上、本発明は、地域によらずカードの不正使用を防止できるという効果がある。
【図面の簡単な説明】
【００２０】
【図１】本発明システムの構成を説明する図。
【図２】ホストコンピュータの構成を説明する図。
【図３】顧客情報テーブルを説明する図。
【図４】ネットサービス情報テーブルを説明する図。
【図５】カードを使用する際になされる処理の流れの例を示すフローチャート。
【図６】使用可能時間帯の登録、変更処理の流れの例を示すフローチャート。
【発明を実施するための形態】
【００２１】
以下に、本発明の一実施形態を説明する。
【００２２】
本発明システムは、図１に示すように、ホストコンピュータ１と、店舗端末２とを備え、ホストコンピュータ１と、店舗端末２とが通信回線３を介して接続されている。また、ホストコンピュータ１は、顧客の端末５にインターネット４を介して接続される。
【００２３】
通信回線３は、例えば、専用回線、電話回線である。
【００２４】
端末５は、例えば、携帯電話、スマートフォン等の携帯端末である。また、端末５は、パソコン等、必ずしも、携帯が容易でないものであっても良い。
【００２５】
ホストコンピュータ１は、図２に示すように、顧客情報記憶部１１と、ネットサービス情報記憶部１２と、カード利用処理部１３と、ネットサービス処理部１４と、通信回線接続部１５と、インターネット接続部１６とを備える。
【００２６】
顧客情報記憶部１１は、顧客情報を記憶している記憶装置である。顧客には、カード利用者だけではなく、カードを利用しない者がいても良く、この顧客情報には、カード利用者が、カードを店舗端末２で使用するために必要な情報が含まれる。例えば、顧客情報は、個々の顧客毎に、個々の項目の値に分けられ、図３に示すように、項目「カード番号」、項目「暗証番号」、項目「使用可能時間帯」…、それぞれの値の組を、個々の顧客に対応する行に配列した顧客情報テーブルで記憶される。
【００２７】
ここで、項目「カード番号」の値は、個々のカードを唯一に識別する情報であって、番号からなり、カード番号と呼ばれるものである。カードは、このカードを唯一に識別するカード番号を記憶している記憶媒体を有し、店舗端末２でカードを使用する際に、店舗端末２は、この記憶媒体からカード番号を読み取る。
【００２８】
また、項目「暗証番号」の値は、店舗端末２でカードを使用する際に入力され、カード番号とともに、顧客を認証するのに用いられる情報であって、番号からなり、暗証番号と呼ばれるものである。
【００２９】
また、項目「使用可能時間帯」の値は、カードを使用可能な時間帯（以後、使用可能時間帯とも云う）であって、カード利用者である顧客が登録、変更するものである。
【００３０】
ネットサービス情報記憶部１２は、ネットサービス情報を記憶している記憶装置であって、このネットサービス情報には、顧客の端末５からネットサービスを利用するために必要な情報が含まれる。例えば、ネットサービス情報は、個々の顧客毎に、個々の項目の値に分けられ、図４に示すように、項目「ＩＤ」、項目「パスワード」、項目「メールアドレス」、項目「カード番号」…、それぞれの値の組を、個々の顧客に対応する行に配列したネットサービス情報テーブルで記憶される。
【００３１】
ここで、項目「ＩＤ」の値は、顧客を唯一に識別するＩＤである。
【００３２】
また、項目「パスワード」の値は、ＩＤとともに顧客を認証するのに用いられるパスワードである。
【００３３】
また、項目「メールアドレス」の値は、顧客の端末５のメールアドレスである。
【００３４】
また、項目「カード番号」の値は、顧客が利用しているカードのカード番号である。
【００３５】
カード利用処理部１３は、顧客情報記憶部１に記憶されている顧客情報と、ネットサービス情報部２に記憶されているネットサービス情報とに基づいて、プログラムにより、店舗端末２で読み取られたカード番号と、店舗端末２に入力された暗証番号とにより、顧客認証を行い、顧客認証に成功し、使用可能時間帯である場合、店舗端末２でのカードの使用を認め、他方、顧客認証に失敗した場合と、顧客認証に成功しても、使用可能時間帯外である場合、店舗端末２でのカードの使用を認めず、店舗端末２で読み取られたカード番
号で識別されるカードの正当な利用者である顧客の端末５に、カードが不正使用されたとのアラート（警告）をメールで送信するための処理を行う装置である。
【００３６】
ネットサービス処理部１４は、顧客情報記憶部１に記憶されている顧客情報と、ネットサービス情報部２に記憶されているネットサービス情報とに基づいて、プログラムにより、端末５に入力されたＩＤとパスワードとにより、顧客の認証を行い、認証に成功した場合、端末５で顧客にネットサービスを利用させるための処理を行う装置である。ネットサービスとしては、例えば、使用可能時間帯の登録、変更がある。
【００３７】
通信回線接続部１５は、ホストコンピュータ１を、通信回線３に接続するための通信装置である。
【００３８】
インターネット接続部１６は、ホストコンピュータ１を、インターネット４に接続するための通信装置であって、不正アクセスから防御するためのファイアーウォール等を備える。
【００３９】
以下に、カードを使用する際の処理の流れの例を、図５のフローチャートに従って説明する。
【００４０】
Ｓ（ＳＴＥＰ）１；
店舗端末２は、カードの記憶媒体から、カード番号を読み取る。
【００４１】
Ｓ（ＳＴＥＰ）２；
店舗端末２は、暗証番号を入力するよう促す表示をする。
【００４２】
Ｓ（ＳＴＥＰ）３；
店舗端末２に暗証番号が入力されると、店舗端末２は、読み取ったカード番号と、入力された暗証番号とを、ホストコンピュータ１に送信する。
【００４３】
Ｓ（ＳＴＥＰ）４；
ホストコンピュータ１のカード利用処理部１３は、店舗端末２から、カード番号と暗証番号を受信して、店舗端末２から受信したカード番号と暗証番号をそれぞれ項目「カード番号」と項目「暗証番号」の値とする行が、図３に示す顧客情報テーブルに存在するかを確認する顧客認証を行う。
【００４４】
Ｓ（ＳＴＥＰ）５；
存在する場合、顧客認証に成功したとして、ＳＴＥＰ６に進み、
他方、存在しない場合、顧客認証に失敗したとして、ＳＴＥＰ９に進む。
【００４５】
Ｓ（ＳＴＥＰ）６；
ホストコンピュータ１のカード利用処理部１３は、図３に示す顧客情報テーブルにおいて、ＳＴＥＰ４で店舗端末２から受信したカード番号を項目「カード番号」の値とする行の項目「使用可能時間帯」の値を検索し、この項目「使用可能時間帯」の値に、現在の時刻が含まれる否かで、カードの使用が可能か否かを判断する。
【００４６】
Ｓ（ＳＴＥＰ）７；
現在の時刻が含まれる場合、カードの使用が可能であるとして、ＳＴＥＰ８に進み、
他方、現在の時刻が含まれない場合、カードの使用が不可能であるとして、ＳＴＥ９に進む。
【００４７】
Ｓ（ＳＴＥＰ）８；
ホストコンピュータ１のカード利用処理部１３は、店舗端末２で、カードを使用させる。そして、ＥＮＤに進む。
【００４８】
Ｓ（ＳＴＥＰ）９；
ホストコンピュータ１のカード利用処理部１３は、店舗端末２に対して、カードの使用ができないことを示す表示を行わせる。
【００４９】
Ｓ（ＳＴＥＰ）１０；
ホストコンピュータ１のカード利用処理部１３は、図４に示すネットサービス情報テーブルにおいて、ＳＴＥＰ４で店舗端末２から受信したカード番号を項目「カード番号」の値とする行の項目「メールアドレス」の値に、カードが不正使用されたとのアラート（警告）のメールを送信する。そして、ＥＮＤに進む。
【００５０】
以下に、端末５で、使用可能時間帯が登録、変更される処理の流れの例を、図６のフローチャートに従って説明する。
【００５１】
Ｓ（ＳＴＥＰ）１；
ホストコンピュータ１のネットサービス処理部１４は、端末５から接続されると、端末５に対して、ＩＤとパスワードを入力するよう促す表示を行わせる。
【００５２】
Ｓ（ＳＴＥＰ）２；
端末５に、ＩＤとパスワードが入力されると、端末５は、入力されたＩＤとパスワードを、ホストコンピュータ１に送信する。
【００５３】
Ｓ（ＳＴＥＰ）３；
ホストコンピュータ１のネットサービス処理部１４は、端末５からＩＤとパスワードを受信して、端末５から受信したＩＤとパスワードをそれぞれ項目「ＩＤ」と項目「パスワード」の値とする行が、図４に示すネットサービス情報テーブルに存在するかを確認する顧客認証を行う。
【００５４】
Ｓ（ＳＴＥＰ）４；
存在する場合、顧客認証に成功したとして、ＳＴＥＰ５に進み、
他方、存在しない場合、顧客認証に失敗したとして、ＥＮＤに進む。
【００５５】
Ｓ（ＳＴＥＰ）５；
ホストコンピュータ１は、端末５に対して、ネットサービスの一覧から希望するものを選択するよう促す表示を行わせる。
【００５６】
Ｓ（ＳＴＥＰ）６；
使用可能時間帯の登録、変更が選択されると、端末５は、使用可能時間帯の登録、変更が選択されたことをホストコンピュータ１に送信する。
【００５７】
Ｓ（ＳＴＥＰ）７；
ホストコンピュータ１のネットサービス処理部１４は、端末５から、使用可能時間帯の登録、変更が選択されたことを受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値を検索し、検索して得た項目「使用可能時間帯」の値が空白であるか否かで使用可能時間帯が未登録であるか否かを確かめる。
【００５８】
Ｓ（ＳＴＥＰ）８；
空白の場合、未登録であるとして、ＳＴＥＰ９に進み、
他方、空白でない場合、既登録であるとして、ＳＴＥＰ１２に進む。
【００５９】
Ｓ（ＳＴＥＰ）９；
ホストコンピュータ１のネットサービス処理部１４は、端末５に対して、使用可能時間帯を入力するよう促す表示を行わせる。
【００６０】
Ｓ（ＳＴＥＰ）１０；
端末５に、使用可能時間帯が入力されると、端末５は、入力された使用可能時間帯を、ホストコンピュータ１に送信する。
【００６１】
Ｓ（ＳＴＥＰ）１１；
ホストコンピュータ１のネットサービス処理部１４は、端末５から使用可能時間帯を受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値として、端末５から受信した使用可能時間帯を、登録する。そして、ＥＮＤに進む。
【００６２】
Ｓ（ＳＴＥＰ）１２；
ホストコンピュータ１のネットサービス処理部１４は、端末５に対して、検索して得た項目「使用可能時間帯」の値の表示と、この値の変更を希望するか否かを入力するよう促す表示を行わせる。
【００６３】
Ｓ（ＳＴＥＰ）１３；
端末５に、変更を希望することが入力された場合、ＳＴＥＰ１４に進み、
他方、端末５に、変更を希望しないことが入力された場合、ＳＴＥＰ１８に進む。
【００６４】
Ｓ（ＳＴＥＰ）１４；
端末５は、変更を希望することをホストコンピュータ１に送信する。
【００６５】
Ｓ（ＳＴＥＰ）１５；
ホストコンピュータ１のネットサービス処理部１４は、端末５から、変更を希望することを受信して、端末５に対して、使用可能時間帯を入力するよう促す表示を行わせる。
【００６６】
Ｓ（ＳＴＥＰ）１６；
端末５に使用可能時間帯が入力されると、端末５は、入力された使用可能時間帯を、ホストコンピュータ１に送信する。
【００６７】
Ｓ（ＳＴＥＰ）１７；
ホストコンピュータ１のネットサービス処理部１４は、端末５から使用可能時間帯を受信して、図４に示すネットサービス情報テーブルにおいて、ＳＴＥＰ３で端末５から受信したＩＤを項目「ＩＤ」の値とする行の項目「カード番号」の値を、図３に示す顧客情報テーブルにおいて、項目「カード番号」の値とする行の項目「使用可能時間帯」の値を、端末５から受信した使用可能時間帯に、変更する。そして、ＥＮＤに進む。
【００６８】
Ｓ（ＳＴＥＰ）１８；
端末５は、変更を希望しないことをホストコンピュータ１に送信する。
【００６９】
Ｓ（ＳＴＥＰ）１９；
ホストコンピュータ１のネットサービス処理部１４は、端末５から、変更を希望しないことを、受信する。そして、ＥＮＤに進む。
【符号の説明】
【００７０】
１…ホストコンピュータ
２…店舗端末
３…通信回線
４…インターネット
５…端末
１１…顧客情報記憶部
１２…ネットサービス情報記憶部
１３…カード利用処理部
１４…ネットサービス処理部
１５…通信回線接続部
１６…インターネット接続部
【図２】
2016057951.tif 000003
【図３】
2016057951.tif 000004
【図４】
2016057951.tif 000005
【図５】
2016057951.tif 000006
【図６】
2016057951.tif 000007
【図１】
2016057951.tif 000008